(57)【要約】【課題】エレベーターの解体の作業効率を向上させる。【解決手段】カウンターウェイト２６を昇降路６０の地下ピット６６の底部６８に降ろした状態で、ワイヤーロープ３０を切断してカゴ２２を落下させ、地下ピット６６にカゴ２２とカウンターウェイト２６とが配置された状態にし、カゴ２２及びカウンターウェイト２６を解体して撤去している。【選択図】図２
2015124021.tif 000002
【特許請求の範囲】
【請求項１】
エレベーターの昇降路に設けられたカゴ及びカウンターウェイトの一方を前記昇降路の底部に降ろした状態で、前記カゴと前記カウンターウェイトとを繋ぐワイヤーロープを切断し、前記カゴ及び前記カウンターウェイトの他方を落下させる落下工程と、
前記カゴ及び前記カウンターウェイトを前記昇降路から撤去する撤去工程と、
を備えるエレベーターの解体方法。
【請求項２】
エレベーターの昇降路に設けられたカゴとカウンターウェイトとを繋ぐワイヤーロープを切断し、前記カゴ及び前記カウンターウェイトを落下させる落下工程と、
前記カゴ及び前記カウンターウェイトを前記昇降路から撤去する撤去工程と、
を備えるエレベーターの解体方法。
【請求項３】
前記落下工程では、前記カゴ及び前記カウンターウェイトを略同じ高さにした状態で前記ワイヤーロープを切断し、前記カゴ及び前記カウンターウェイトを落下させる、
請求項２に記載のエレベーターの解体方法。
【請求項４】
前記落下工程の前に、前記カゴ及び前記カウンターウェイトの落下を停止する落下停止手段を無効化する無効化工程を有する、
請求項１〜請求項３のいずれか１項に記載のエレベーターの解体方法。
【発明の詳細な説明】
【技術分野】
【０００１】
本発明は、エレベーターの解体方法に関する。
【背景技術】
【０００２】
特許文献１には、既設のエレベーターの改造作業工法に関する技術が開示されている。
【０００３】
特許文献２及び特許文献３には、既設のエレベーターの解体方法に関する技術が開示されている。
【０００４】
ここで、エレベーターの解体時には、カゴやカウンターウェイトを載せるための足場を仮設している。よって、エレベーターを解体する前に足場を設置し、エレベーターを解体した後に足場を撤去する必要ある。したがって、エレベーターの解体には、エレベーターの解体作業以外に足場の設置及び撤去の作業が必要であり、作業効率の向上に関して改善の余地があった。
【先行技術文献】
【特許文献】
【０００５】
【特許文献１】特開平８−４０６６７号公報
【特許文献２】特開２００１−７２３５５号公報
【特許文献３】特開平８−１７５７７４号公報
【発明の概要】
【発明が解決しようとする課題】
【０００６】
本発明は、エレベーターの解体の作業効率を向上させることが課題である。
【課題を解決するための手段】
【０００７】
請求項１の発明は、エレベーターの昇降路に設けられたカゴ及びカウンターウェイトの一方を前記昇降路の底部に降ろした状態で、前記カゴと前記カウンターウェイとを繋ぐワイヤーロープを切断し、前記カゴ及び前記カウンターウェイトの他方を落下させる落下工程と、前記カゴ及び前記カウンターウェイトを前記昇降路から撤去する撤去工程と、を備える。
【０００８】
請求項１に記載の発明では、カゴ及びカウンターウェイトの一方を昇降路の底部に降ろした状態でワイヤーロープを切断し、カゴ及びカウンターウェイトの他方を落下させる。よって、カゴ及びカウンターウェイトを載せる足場の仮設を無くすことができる。したがって、足場の設置及び撤去の作業（工程）が不要となり、エレベーターの解体の作業効率が向上する。また、騒音が発生するカゴ及びカウンターウェイトの落下が一回で済む。
【０００９】
請求項２の発明は、エレベーターの昇降路に設けられたカゴとカウンターウェイトとを繋ぐワイヤーロープを切断し、前記カゴ及び前記カウンターウェイトを落下させる落下工程と、前記カゴ及び前記カウンターウェイトを前記昇降路から撤去する撤去工程と、を備えるエレベーターの解体方法。
【００１０】
請求項２に記載の発明では、ワイヤーロープを切断し、カゴ及びカウンターウェイトを落下させる。よって、カゴ及びカウンターウェイトを載せる足場の仮設を無くすことができる。したがって、足場の設置及び撤去の作業（工程）が不要となり、エレベーターの解体の作業効率が向上する。
【００１１】
請求項３の発明は、前記落下工程では、前記カゴ及び前記カウンターウェイトを略同じ高さにした状態で前記ワイヤーロープを切断し、前記カゴ及び前記カウンターウェイトを落下させる、請求項２に記載のエレベーターの解体方法。
【００１２】
請求項３に記載の発明では、カゴ及びカウンターウェイトを略同じ高さにした状態でワイヤーロープを切断し、カゴ及びカウンターウェイトを落下させる。よって、落下距離（高さ）が短い（低い）ので、落下に伴う騒音やカゴ及びカウンターウェイトの跳ね返り（バウンド）が抑制される。
【００１３】
請求項４の発明は、前記落下工程の前に、前記カゴ及び前記カウンターウェイトの落下を停止する落下停止手段を無効化する無効化工程を有する、請求項１〜請求項３のいずれか１項に記載のエレベーターの解体方法。
【００１４】
請求項４に記載の発明では、落下停止手段を無効化した状態でワイヤーロープを切断するので、落下の途中でカゴ及びカウンターウェイトが自動停止することが防止され、確実に昇降路の底部に落下する。
【発明の効果】
【００１５】
本発明によれば、エレベーターの解体の作業効率が向上する。
【図面の簡単な説明】
【００１６】
【図１】第一解体方法において、カゴを降ろしてウエッジを撤去している作業を模式的に示す縦断面図である。
【図２】第一解体方法において、カウンターウェイトを地下ピットの底部に降ろした状態でカゴとカウンターウェイトとを繋ぐワイヤーロープを切断している作業を模式的に示す縦断面図である。
【図３】カゴ及びカウンターウェイトが地下ピットの底部に配置された状態を模式的に示す縦断面図である。
【図４】第二解体方法において、カゴとカウンターウェイトとを略同じ高さにした状態でカゴとカウンターウェイトとを繋ぐワイヤーロープを切断している作業を模式的に示す縦断面図である。
【図５】ウエッジによる緊急停止装置を模式的に示す正面図である。
【発明を実施するための形態】
【００１７】
本発明のエレベーターの解体方法について説明する。
［構造物］
まず、本発明を適用してエレベーターを解体する構造物１０について説明する。
図１に示すように、高層ビルとして構成された構造物１０には、エレベーター２０が設けられている。
【００１８】
エレベーター２０は、人や物を運搬するためのカゴ（ケージ）２２を有している。カゴ２２は、昇降路（エレベータシャフト）６０に設置されている。
【００１９】
昇降路６０の下端部は地下ピット６６となっている。また、昇降路６０の上端部６０Ａの上側には、機械室５０が設けられている。この機械室５０には、巻上装置５２が設置されている。
【００２０】
カゴ２２は、ワイヤーロープ３０によって、カゴ２２と略同じ重量のカウンターウェイト２６に繋がれている。ワイヤーロープ３０は、巻上装置５２の滑車５４に巻き掛けられており、滑車５４が回転することでカゴ２２とカウンターウェイト２６とが上下方向に移動するように構成されている。
【００２１】
また、機械室５０には、調速機５６が設置されている。調速機５６は、カゴ２２が動くと調速機５６のプーリーが従動して回転し、所定の速度以上でカゴ２２が落下すると、ロックしてカゴ２２を緊急停止させる機能を有している。
【００２２】
昇降路６０は、外周部がコンクリート製の隔壁６２によって囲まれている。隔壁６２内周には、ガイドレール６３、６４が、上下の略全長に渡って設けられている。これらガイドレール６３，６４は、カゴ２２及びカウンターウェイト２６が上下に移動する際のガイドとなる。
【００２３】
図５に示すように、カゴ２２及びカウンターウェイト２６には、ガイドレール６３、６４が挿通する緊急停止装置１００が設けられている（図１も参照）。緊急停止装置１００内のガイドレール６３，６４の外側には、傾斜面１０３Ａ、１０３Ｂを有するガイド部材１０２Ａ、１０２Ｂが設けられている。これらガイド部材１０２Ａ、１０２Ｂは外側から押圧部材１０４Ａ，１０４Ｂによってガイドレール６３、６４側に押圧されている。
【００２４】
また、緊急停止装置１００内のガイドレール６３，６４は、ウエッジ７２，７４（図１も参照）によって挟まれている。更に、ガイド部材１０２Ａ，１０２Ｂの傾斜面１０３Ａ，１０３Ｂとウエッジ７２，７４の傾斜面７３Ａ，７３Ｂとの間には、ローラ部材１０６Ａ、１０６Ｂが挟まれている。
【００２５】
そして、ワイヤーロープ３０が切断してカゴ２２及びカウンターウェイト２６が落下した場合、振動などでウエッジ７２，７４がせり上がり、ガイドレール６３，６４にウエッジ７２，７４が噛み込んで、カゴ２２及びカウンターウェイト２６が緊急停止するようになっている。
【００２６】
なお、本エレベーター２０は周知の構造であるので、詳しい説明は省略している。また、調速機５６及び緊急停止装置１００（ウエッジ７２，７４）によってカゴ２２を緊急停止させる機構や装置も周知の技術であるので、詳しい説明は省略している。
【００２７】
［エレベーターの解体方法］
次に、具体的なエレベーター２０の解体方法について説明する。
【００２８】
（第一解体方法）
まず、第一解体方法について説明する。
【００２９】
図１に示すように、カゴ２２を地下ピット６６上に降ろし、緊急停止装置１００のウエッジ７２を取り外し撤去する。更に、調速機５６の緊急停止機能を解除する。つまり、カゴ２２が落下する際に緊急停止する機能を予め全て無効化する。
【００３０】
図２に示すように、カウンターウェイト２６を、地下ピット６６の底部６８に降ろす。このときカゴ２２は、昇降路６０の上端部６０Ａの近傍に位置する。そして、巻上装置５２の滑車５４の近傍で、カゴ２２とカウンターウェイト２６とを繋ぐワイヤーロープ３０を切断する。
【００３１】
図３に示すように、ワイヤーロープ３０が切断されると、カゴ２２が地下ピット６６の底部６８に落下する。また、切断されたワイヤーロープ３０も落下する。
【００３２】
カウンターウェイト２６及び落下したカゴ２２を、地下ピット６６で解体して、昇降路６０から撤去（搬出）する。
【００３３】
（作用及び効果）
本第一解体方法の作用及び効果について説明する。
【００３４】
カウンターウェイト２６を昇降路６０の地下ピット６６の底部６８に降ろした状態で、ワイヤーロープ３０を切断してカゴ２２を落下させ、地下ピット６６にカゴ２２とカウンターウェイト２６とが配置された状態にし、カゴ２２及びカウンターウェイト２６を解体して撤去している。
【００３５】
よって、カゴ２２やカウンターウェイト２６を解体するために載せる足場の仮設を無くすことができる。したがって、足場の設置及び撤去の作業（工程）が不要となり、エレベーター２０の解体の作業効率が向上する。
【００３６】
なお、カウンターウェイト２６を昇降路６０の地下ピット６６の底部６８に降ろし、カゴ２２のみを落下させるので、落下音の発生が一回で済む。
【００３７】
また、ワイヤーロープ３０を切断する前に、予め緊急停止装置１００のウエッジ７２を撤去すると共に、調速機５６の緊急停止機構を解除しているので、カゴ２２が落下する際に、途中で停止ことなく、地下ピット６６の底部６８に確実に落下する。
【００３８】
なお、本第一解体方法では、カウンターウェイト２６を昇降路６０の地下ピット６６の底部６８に降ろした状態でワイヤーロープ３０を切断し、カゴ２２を落下せていたが、これに限定されない。
【００３９】
カゴ２２を昇降路６０の地下ピット６６の底部６８に降ろした状態で、ワイヤーロープ３０を切断し、カウンターウェイト２６を落下せてもよい。なお、この場合は、カウンターウェイト２６を降ろし、予めウエッジ７４を撤去する。
【００４０】
なお、カウンターウェイト２６よりもカゴ２２の方が大きいので、その分空気が大きくなり落下速度が遅くなる。また、カウンターウェイト２６よりもカゴ２２の方が軽い。したがって、カゴ２２を落下させる方が、衝撃が少なく好適である。
【００４１】
（第二解体方法）
つぎに、第二解体方法について説明する。
【００４２】
図１に示すように、カゴ２２を地下ピット６６上に降ろし、緊急停止装置１００のウエッジ７２を取り外し撤去する。また、図示は省略するが、同様に、カウンターウェイト２６を地下ピット６６上に降ろし、ウエッジ７４を取り外し撤去する。更に、調速機５６の緊急停止機能を解除する。つまり、カゴ２２及びカウンターウェイト２６が落下する際に緊急停止する機能を予め全て無効化する。
【００４３】
図４に示すように、カゴ２２とカウンターウェイト２６とを略同じ位置（高さ）にする。そして、巻上装置５２の滑車５４の近傍で、カゴ２２とカウンターウェイト２６とを繋ぐワイヤーロープ３０を切断する。ワイヤーロープ３０が切断されると、カゴ２２とカウンターウェイト２６とが地下ピット６６の底部６８に落下する。
【００４４】
落下したカゴ２２及びカウンターウェイト２６を、地下ピット６６で解体して、昇降路６０から撤去（搬出）する（図３参照）。
【００４５】
（作用及び効果）
本第二解体方法の作用及び効果について説明する。
【００４６】
カゴ２２とカウンターウェイト２６とを略同じ位置（高さ）とした状態で、ワイヤーロープ３０を切断してカゴ２２とカウンターウェイト２６とを落下させ、地下ピット６６にカゴ２２とカウンターウェイト２６とが配置された状態にし、カゴ２２及びカウンターウェイト２６を解体して撤去している。
【００４７】
よって、カゴ２２やカウンターウェイト２６を解体するために載せる足場の仮設を無くすことができる。したがって、足場の設置及び撤去の作業（工程）が不要となり、エレベーター２０の解体の作業効率が向上する。
【００４８】
また、カゴ２２及びカウンターウェイト２６を略同じ高さにした状態でワイヤーロープ３０を切断し、カゴ２２及びカウンターウェイト２６を落下させている。よって、落下距離（高さ）が短い（低い）ので、落下に伴う騒音やカゴ２２及びカウンターウェイト２６の跳ね返り（バウンド）が抑制される。
【００４９】
また、ワイヤーロープ３０を切断する前に、予め緊急停止装置１００のウエッジ７２及びウエッジ７４を撤去すると共に、調速機５６の緊急停止機構を解除しているので、カゴ２２及びカウンターウェイト２６が落下する際に、途中で緊急停止ことなく、地下ピット６６の底部６８に確実に落下する。
【００５０】
なお、本第二解体方法では、カゴ２２とカウンターウェイト２６とを略同じ位置（高さ）とした状態で、ワイヤーロープ３０を切断し、カゴ２２とカウンターウェイト２６とを落下させたが、これに限定されない。
【００５１】
カゴ２２とカウンターウェイト２６とを異なる位置（高さ）の状態で、ワイヤーロープ３０を切断し、カゴ２２とカウンターウェイト２６とを落下させてもよい。
【００５２】
［その他］
尚、本発明は上記実施形態に限定されない。
【００５３】
例えば、エレベーター２０は、上記構成に限定されるものではない。カゴ２２とカウンターウェイト２６とがワイヤーロープ３０で繋がれた構成のエレベーター全般に本発明を適用することができる。
【００５４】
また、本発明の要旨を逸脱しない範囲において種々なる態様で実施し得ることは言うまでもない
【符号の説明】
【００５５】
２０      エレベーター
２２      カゴ
２６      カウンターウェイト
３０      ワイヤーロープ
５６      調速機（落下停止手段）
６０      昇降路
６８      底部
７２      ウエッジ（落下停止手段）
７４      ウエッジ（落下停止手段）
１００      緊急停止装置（落下停止手段）
【図１】
2015124021.tif 000003
【図２】
2015124021.tif 000004
【図３】
2015124021.tif 000005
【図４】
2015124021.tif 000006
【図５】
2015124021.tif 000007